【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】
光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行う記録装置において、予め各光記録媒体の種類毎に当該種類の光記録媒体の記録感度・記録特性に応じた各半径位置での記録パワーの補正値を設定して記憶し、当該記憶した記録パワーの補正値に基づいて、当該光記録媒体の半径位置で前記記録パワーを補正して記録することを特徴とする記録装置。
【請求項２】
光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行う記録方法において、予め各光記録媒体の種類毎に当該種類の光記録媒体の記録感度・記録特性に応じた各半径位置での記録パワーの補正値を設定し、当該設定した記録パワーの補正値に基づいて、当該光記録媒体の半径位置で前記記録パワーを補正して記録することを特徴とする記録方法。
【請求項３】
最内周のパワーキャリブレーション領域で設定された記録パワーで、全面を記録する非Ｒｕｎｎｉｎｇ−ＯＰＣ記録方式で情報の記録の行われる光記録媒体であって、予め各光記録媒体の種類毎に当該種類の光記録媒体の記録感度・記録特性に応じた各半径位置での記録パワーの補正値を設定し、当該設定した記録パワーの補正値に基づいて、半径位置で前記記録パワーを補正して情報の記録が行われていることを特徴とする光記録媒体。
【手続補正２】
【補正対象書類名】明細書
【補正対象項目名】０００１
【補正方法】変更
【補正の内容】
【０００１】
【発明の属する技術分野】
本発明は、光記録媒体記録装置、光記録媒体記録方法及び光記録媒体に関し、詳細には、半径方向で記録特性の均一性の悪い光記録媒体に各半径位置で適切な記録パワーで記録する記録装置、記録方法及び光記録媒体に関する。
【手続補正３】
【補正対象書類名】明細書
【補正対象項目名】００１３
【補正方法】変更
【補正の内容】
【００１３】
そこで、請求項１記載の発明は、光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行うに際して、予め各光記録媒体の種類毎に当該種類の光記録媒体の記録感度・記録特性に応じた各半径位置での記録パワーの補正値を設定して記憶し、当該記憶した記録パワーの補正値に基づいて、当該光記録媒体の半径位置で記録パワーを補正して記録することにより、半径方向で記録感度、記録特性マージンの均一性の悪い光記録媒体に対して、より広い記録パワーマージンで記録するとともに、各半径位置で最適な記録パワーで記録する記録装置を提供することを目的としている。
【手続補正４】
【補正対象書類名】明細書
【補正対象項目名】００１４
【補正方法】変更
【補正の内容】
【００１４】
請求項２記載の発明は、光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行うに際して、予め各光記録媒体の種類毎に当該種類の光記録媒体の記録感度・記録特性に応じた各半径位置での記録パワーの補正値を設定し、当該設定した記録パワーの補正値に基づいて、当該光記録媒体の半径位置で記録パワーを補正して記録することにより、半径方向で記録感度、記録特性マージンの均一性の悪い光記録媒体に対して、より広い記録パワーマージンで記録するとともに、各半径位置で最適な記録パワーで記録する記録方法を提供することを目的としている。
【手続補正５】
【補正対象書類名】明細書
【補正対象項目名】００１６
【補正方法】変更
【補正の内容】
【００１６】
【課題を解決するための手段】
請求項１記載の発明の記録装置は、光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行う記録装置において、予め各光記録媒体の種類毎に当該種類の光記録媒体の記録感度・記録特性に応じた各半径位置での記録パワーの補正値を設定して記憶し、当該記憶した記録パワーの補正値に基づいて、当該光記録媒体の半径位置で前記記録パワーを補正して記録することにより、上記目的を達成している。
【手続補正６】
【補正対象書類名】明細書
【補正対象項目名】００１８
【補正方法】変更
【補正の内容】
【００１８】
請求項２記載の発明の記録方法は、光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行う記録方法において、予め各光記録媒体の種類毎に当該種類の光記録媒体の記録感度・記録特性に応じた各半径位置での記録パワーの補正値を設定し、当該設定した記録パワーの補正値に基づいて、当該光記録媒体の半径位置で前記記録パワーを補正して記録することにより、上記目的を達成している。
【手続補正７】
【補正対象書類名】明細書
【補正対象項目名】００２３
【補正方法】変更
【補正の内容】
【００２３】
図１〜図４は、本発明の光記録媒体記録装置、光記録媒体記録方法及び光記録媒体の一実施の形態を示す図であり、図１は、本発明の記録装置、記録方法及び光記録媒体の一実施の形態を適用した記録装置１の概略構成図である。
【手続補正８】
【補正対象書類名】明細書
【補正対象項目名】００２４
【補正方法】変更
【補正の内容】
【００２４】
図１において、記録装置１は、回転駆動系２、回転制御系３、ドライブコントローラ４、不揮発性メモリ５、光ピックアップ６、ＬＤ制御系７、モータ制御系８及び信号処理系９等を備えており、回転駆動系２の図示しないターンテーブル上に、記録対象の光記録媒体である光ディスク１０が載置される。
【手続補正９】
【補正対象書類名】明細書
【補正対象項目名】００３１
【補正方法】変更
【補正の内容】
【００３１】
ドライブコントローラ４は、記録装置１の各部を制御して、回転駆動系２のターンテーブル上にセットされた光ディスク１０を回転制御系３を介して回転駆動して、モータ制御系８を介して光ピックアップ６を光ディスク１０の半径方向に移動させつつ、後述する記録パワー設定制御処理に基づいてＬＤ制御系７を制御し、光ピックアップ１０の記録パワー及ぶ記録パルスを制御して、光ディスク１０に情報の記録を行う。
【手続補正１０】
【補正対象書類名】明細書
【補正対象項目名】００３３
【補正方法】変更
【補正の内容】
【００３３】
次に、本実施の形態の作用を説明する。本実施の形態の記録装置１は、情報の記録を行う光ディスク１０の半径方向で記録パワーを調整して、情報の記録を行う。
【手続補正１１】
【補正対象書類名】明細書
【補正対象項目名】００４３
【補正方法】変更
【補正の内容】
【００４３】
そこで、本実施の形態の記録装置１は、Ｒｕｎｎｉｎｇ−ＯＰＣを用いない（ＯＦＦ）で記録するとともに、記録感度・記録特性に内外差のある光ディスク１０でも、各半径で最適な記録パワーで記録を行う。
【手続補正１２】
【補正対象書類名】明細書
【補正対象項目名】００４４
【補正方法】変更
【補正の内容】
【００４４】
そのために、本実施の形態の記録装置１は、予め、各種の光ディスク１０の記録感度・記録特性内外差を調べ、最内周の記録パワーに対して、各半径でどの程度記録パワー補正をする必要があるかの補正データを不揮発性メモリ５に記憶している。
【手続補正１３】
【補正対象書類名】明細書
【補正対象項目名】００４６
【補正方法】変更
【補正の内容】
【００４６】
そして、記録装置１は、光ディスク１０が装着されると、光ディスク１０の情報を読み取って、どのタイプ（種類）の光ディスク１０であるかを認識し、当該認識した光ディスク１０の種類に対して、不揮発性メモリ５に格納されている各半径位置での補正パワーΔＰに基づいて、記録パワーＰｏの補正を行って、記録を行う。
【手続補正１４】
【補正対象書類名】明細書
【補正対象項目名】００４７
【補正方法】変更
【補正の内容】
【００４７】
具体的には、記録装置１は、図４に示すように、記録装置１（図４では、ドライブと表示）に光ディスク１０（図４では、メディアと表示）が挿入されると（ステップＳ１０１）、当該光ディスク１０に記録されている情報を読み取って、光ディスク１０の種類（タイプ）を認識する（ステップＳ１０２）。
【手続補正１５】
【補正対象書類名】明細書
【補正対象項目名】００４８
【補正方法】変更
【補正の内容】
【００４８】
次に、記録装置１は、光ディスク１０の最内周部のＰＣＡ領域１１で記録パワーキャリブレーションを行い、記録パワーＰｏを設定する（ステップＳ１０３）。
【手続補正１６】
【補正対象書類名】明細書
【補正対象項目名】００４９
【補正方法】変更
【補正の内容】
【００４９】
一方、上述のように、記録装置１は、予め各光ディスク（メディア）１０の各半径で、最適な記録特性を得られる記録パワーを調査し（ステップＳ２０１）、各光ディスク１０の最内周部のＰＣＡ領域１１の最適記録パワーに対して、各半径位置での補正パワーを求める（ステップＳ２０２）。記録装置１は、この求めた補正パワーを、図３に示したように、不揮発性メモリ５に記憶させている（ステップＳ２０３）。
【手続補正１７】
【補正対象書類名】明細書
【補正対象項目名】００５０
【補正方法】変更
【補正の内容】
【００５０】
そして、記録装置１は、ステップＳ１０３で設定した記録パワーＰｏを、ステップＳ２０３で格納している不揮発性メモリ５内の当該光ディスク１０の種類に対応した補正パワーΔＰで補正した記録パワーで、ＴＯＣ領域１２、情報領域１３及びリードアウト領域１４からなる光ディスク情報記録領域１５を記録する（ステップＳ１０４）。
【手続補正１８】
【補正対象書類名】明細書
【補正対象項目名】００５２
【補正方法】変更
【補正の内容】
【００５２】
このように、本実施の形態の記録装置１は、光ディスク１０の最内周のＰＣＡ領域１１で設定した記録パワーで、光ディスク１０の全面を記録する非Ｒｕｎｎｉｎｇ−ＯＰＣ記録方式で光ディスク１０に情報の記録を行うに際して、予め各光ディスク１０の種類毎に当該種類の光ディスク１０の記録感度・記録特性に応じた各半径位置での記録パワーの補正値を設定して不揮発性メモリ５記憶し、当該記憶した記録パワーの補正値に基づいて、光ディスク１０の半径位置で記録パワーを補正して記録している。
【手続補正１９】
【補正対象書類名】明細書
【補正対象項目名】００５４
【補正方法】変更
【補正の内容】
【００５４】
また、本実施の形態の記録方法は、光ディスク１０の最内周のＰＣＡ領域１１で設定した記録パワーで、光ディスク１０の全面を記録する非Ｒｕｎｎｉｎｇ−ＯＰＣ記録方式で光ディスク１０に情報の記録を行うに際して、予め各光ディスク１０の種類毎に当該種類の光ディスク１０の記録感度・記録特性に応じた各半径位置での記録パワーの補正値を設定し、当該設定した記録パワーの補正値に基づいて、光ディスク１０の半径位置で記録パワーを補正して記録している。
【手続補正２０】
【補正対象書類名】明細書
【補正対象項目名】００６９
【補正方法】変更
【補正の内容】
【００６９】
【発明の効果】
請求項１記載の発明の記録装置によれば、光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行うに際して、予め各光記録媒体の種類毎に当該種類の光記録媒体の記録感度・記録特性に応じた各半径位置での記録パワーの補正値を設定して記憶し、当該記憶した記録パワーの補正値に基づいて、当該光記録媒体の半径位置で記録パワーを補正して記録するので、半径方向で記録感度、記録特性マージンの均一性の悪い光記録媒体に対して、より広い記録パワーマージンで記録することができるとともに、各半径位置で最適な記録パワーで記録することができる。
【手続補正２１】
【補正対象書類名】明細書
【補正対象項目名】００７０
【補正方法】変更
【補正の内容】
【００７０】
請求項２記載の発明の記録方法によれば、光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行うに際して、予め各光記録媒体の種類毎に当該種類の光記録媒体の記録感度・記録特性に応じた各半径位置での記録パワーの補正値を設定し、当該設定した記録パワーの補正値に基づいて、当該光記録媒体の半径位置で記録パワーを補正して記録するので、半径方向で記録感度、記録特性マージンの均一性の悪い光記録媒体に対して、より広い記録パワーマージンで記録することができるとともに、各半径位置で最適な記録パワーで記録することができる。
【手続補正２２】
【補正対象書類名】明細書
【補正対象項目名】図面の簡単な説明
【補正方法】変更
【補正の内容】
【図面の簡単な説明】
【図１】本発明の記録装置、記録方法及び光記録媒体の一実施の形態を適用した記録装置の概略構成図。
【図２】図１の光ディスクの構造図。
【図３】図１の記録装置の不揮発性メモリに格納されている各光ディスク毎の半径位置での記録パワーと記録パワー補正値の一例を示す図。
【図４】本発明の記録装置による記録パワー補正処理を行う記録処理を示すフローチャート。
【図５】本発明の記録装置、記録方法及び光記録媒体を適用した実施例で用いるＣＤ−Ｒの内周、中周及び外周部の記録特性としての記録パワーと３Ｔランドジッタの関係を示す図。
【図６】本発明の記録装置、記録方法及び光記録媒体を適用した実施例で用いるＣＤ−Ｒの内周、中周及び外周部の記録特性としての記録パワーとβの関係を示す図。
【図７】本発明の記録装置、記録方法及び光記録媒体を適用した実施例で用いるＣＤ−Ｒの内周、中周及び外周部の記録特性としての記録パワーと１１Ｔ変調度の関係を示す図。
【図８】本発明の記録装置、記録方法及び光記録媒体を適用した実施例で用いる３種類のＣＤ−Ｒの各特性が各半径位置で許容される記録パワーの範囲を示す図。
【図９】本発明の記録装置、記録方法及び光記録媒体を適用した実施例で用いる３種類のＣＤ−Ｒの各特性が各半径位置での補正記録パワーの一例を示す図。
【図１０】本発明の記録装置、記録方法及び光記録媒体を適用した実施例で用いる３種類のＣＤ−Ｒの記録パワーの補正を行った場合と補正を行わなかった場合の記録パワーのマージン幅を示す図。
【符号の説明】
１  記録装置
２  回転駆動系
３  回転制御系
４  ドライブコントローラ
５  不揮発性メモリ
６  光ピックアップ
７  ＬＤ制御系
８  モータ制御系
９  信号処理系
１０  光ディスク
１１  ＰＣＡ領域（パワーキャリブレーション領域）
１２  ＴＯＣ領域
１３  情報領域（Information 領域）
１４  リードアウト（Lead-out）領域
１５  光ディスク情報記録領域